【事件の表示】
　特許第３０８９３９３号「天吊型空気調和設備並びにその施工方法及び天吊型空気調和設備に用いるダクトの製法。」の請求項１ないし３に係る特許に対する特許異議の申立てについて、次のとおり決定する。
【結　論】
　訂正を認める。
　特許第３０８９３９３号の請求項１ないし３に係る特許を取り消す。
【理　由】
１．手続の経緯
　本件特許第３０８９３９３号に係る出願は、平成７年１２月５日に特許出願され、平成１２年７月２１日に設定登録され、その後、株式会社栗本鐵工所より特許異議の申立てがなされ、取消理由が通知された後、平成１３年９月２５日に意見書及び訂正請求書が提出されたものである。
　
２．訂正の適否についての判断
（１）訂正事項
ア．訂正事項１
「【請求項１】
　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したことを特徴とする天吊型空気調和設備。」を、
「【請求項１】
　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したこと、および軽天の上部空間の空気を該天吊型空気調和機の空気流入口に取入れる構成としたことを特徴とする天吊型空気調和設備。」と訂正する。
　
イ．訂正事項２
　特許明細書の段落【０００４】の、
「しかも該吹出口枠とフレキシブルダクトとの接続作業を軽天工事の邪魔をすることなく速やかに行うことができる。」を、
「しかも該吹出口枠とフレキシブルダクトとの接続作業を軽天工事の邪魔をすることなく速やかに行うことができる。また軽天の上部空間の空気を該天吊型空気調和機の空気流入口に取入れる構成とした。」と訂正する。
　
（２）訂正の目的の適否、新規事項の有無及び拡張・変更の存否
　訂正事項１は、請求項１の「天吊型空気調和機」について「軽天の上部空間の空気を天吊型空気調和機の空気流入口に取入れる」旨限定するもので、特許請求の範囲の減縮を目的としたものであり、願書に添付した明細書又は図面に記載した事項の範囲内においてなされ、実質上特許請求の範囲を拡張し、又は変更するものでない。
　訂正事項２は、特許請求の範囲の訂正にともない、特許請求の範囲の記載と発明の詳細な説明の記載との整合を図るもので、明りょうでない記載の釈明を目的としたものであり、願書に添付した明細書又は図面に記載した事項の範囲内においてなされ、実質上特許請求の範囲を拡張し、又は変更するものでない。
　
（３）まとめ
　以上のとおりであるから、上記訂正は、特許法第１２０条の４第２項及び同条第３項において準用する特許法第１２６条第２項から第４項までの規定に適合するので、当該訂正を認める。
　
３．特許異議の申立てについての判断
（１）本件発明
  本件特許の請求項１乃至３に係る発明（以下、「本件第１発明、本件第２発明、本件第３発明」という。）は、訂正明細書の特許請求の範囲の請求項１乃至３に記載された事項により特定される次のとおりのものと認める。
「【請求項１】
　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したこと、および軽天の上部空間の空気を該天吊型空気調和機の空気流入口に取入れる構成としたことを特徴とする天吊型空気調和設備。
【請求項２】
　前記天吊型空気調和設備に使用するフレキシブルダクトを、鋼線をばね状に形成しながらその外周に帯状の不織布を巻付機で巻き付けつつ、該不織布を順次接着して円筒状体を構成し、該円筒状体の外側を定規板に当て、該円筒状体をその内側から該定規板に押し付けて角付け、横断面矩形を呈する角筒体を構成し、該角筒体の外周にガラスウールを巻いて角型に制作することを特徴とする請求項１に記載の天吊型空気調和設備に用いるフレキシブルダクトの製法。
　【請求項３】
　伸縮自在で且つ横断面矩形のフレキシブルダクトを予め長さ方向に押縮め紐で縛って元に戻らない状態で、天吊型空気調和設備の吹出口に取付けて置き、この天吊型空気調和機を軽天の上部空間に吊持して取付けた後、紐による縛りを解いてフレキシブルダクトを伸ばして軽天開口部に設けた吹出口枠に挿し込み接続するようにしたことを特徴とする天吊型空気調和設備の施工方法。」
　
（２）刊行物
ア．刊行物１
　当審が通知した取消しの理由に引用した本件出願前に頒布された刊行物である特開昭６２−１３４４２７号公報（以下、「刊行物１」という。）には、図面とともに下記の記載がある。
「図において20は天井であり、埋込形の空気調和機の本体22は天井20に吊りボルト21で吊下げられている。」（第2頁右上欄6〜8行）
「本体22の一側方の吹出接続口40からは吹出ダクト41を導出してあり、この吹出ダクト41は下り天井35の一側の吹出口42に接続している。」（第2頁左下欄7〜10行）
　
イ．刊行物２
　同じく、当審が通知した取消しの理由に引用した本件出願前に頒布された刊行物である実願昭６０−１７８４４０号（実開昭６２−８５８１６号）のマイクロフィルム（以下、「刊行物２」という。）には、図面とともに、次の記載がある。
「天井の内部に設置される空気調和ユニットと、このユニットの側面開口部と一端が連結されるフレキシブルなダクトと、前記ユニットよりも側方へずれた天井板の箇所に設けられ前記ダクトの他端が着脱自在に取りつけられる通風グリルとを備えたことを特徴とする空気調和機。」（実用新案登録請求の範囲）
「サービス点検をする際は通風グリルのグリル桟を通風口から外した後、このグリルの通風枠からフレキシブルダクトの他端を取り外してダクトの長さを縮めるとこの通風口の上方の天井内部には障害物がない為、この通風口から天井の内部に作業者は容易に入ることができ、空気調和ユニットの内部点検と外回りの点検とが行なえる。点検が終わると、ダクトを引張って通風枠に取りつけた後、この枠にグリル桟を取りつければ、作業は完了する。」（第3頁1〜10行）
「（1）は天井の梁（2）から吊りボルト（3）で吊り下げられて天井の内部（4）に設置された空気調和ユニットで、送風機（5）と熱交換器（6）とが内蔵されている。（7）はこのユニット（1）の側面閉口部（8）と一端（9）が連結された伸縮自在な吸込用のフレキシブルダクト、（10）はユニット（1）よりも側方へずれた天井板（11）の箇所に設けられダクト（7）の他端（12）が引掛具（13）で着脱自在に取りつけられる吸込用の通風グリル」（同頁12〜20行）
「空気調和ユニット（1）の内部点検や外回りの点検を行なう際は第2図に示すようにグリル桟（19）を開いて通風口（20）内に下方から手を表し入れ　通風枠（17）に設けてある引掛具（13）を操作してフレキシブルダクト（7）の他端（12）を通風枠（17）から外し、このダクト（7）を手で押し上げて第2図に示すように縮ませると、通風口（20）の上方の天井の内部（4）には障害物がない為、この通風口（20）から天井の内部（4）に作業者は容易に入ることができ、上述の点検が行なえる。点検が終わると、作業者は再び通風口（20）から出てフレキシブルダクト（7）の他端（12）を引張ってこのダクト（7）を通風枠（17）に引掛具（13）で取りつけた後、グリル桟（19）を閉じれば第1図に示す元の状態に戻る。」（第4頁18行〜第5頁11行）
「上記実施例では空気吸込用のダクト（7）をフレキシブルダクトとしたが、吹出用のダクト（15）をフレキシブルダクトとしても良い。但し、この場合は熱交換器（6）で冷却又は加熱された空気がダクト（15）を通る為、断熱性のあるフレキシブルダクトを用いる必要がある。」（第5頁12〜17行）
　
ウ．刊行物３
　同じく、当審が通知した取消しの理由に引用した本件出願前に頒布された刊行物である特開平６−２７２９４８号公報（以下、「刊行物３」という。）には、図面とともに、次の記載がある。
「フレキシブルダクトの性質上、伸縮性、可撓性等の自由度を充分に保持し得るものが好適に選択され、特に、現場施工における、微妙な位置調整、取扱性、運搬性、保管性に優れるものを用いるべきである。」（第3欄28〜31行）
「伸縮性、可撓性を維持保有しており、現場での施工作業、微妙な位置合わせ調整作業が簡単に行える。」（第4欄21〜23行）
　
エ．刊行物４
　同じく、当審が通知した取消しの理由に引用した本件出願前に頒布された刊行物である実願平３−１０６８９２号（実開平６−５３８９５号）のＣＤ−ＲＯＭ（以下、「刊行物４」という。）には、図面とともに、次の記載がある。
「このフレキシブルダクト1は、金属線材をコイル状に巻き付けた芯材11に、グラスクロス、不織布等から成る多孔性内面シート12、グラスウール層13および塩化ビニルから成る外面シート14を順次巻き付けて円筒状に形成したものであり、両端の接続部は、外面シート14を内周面に折り返して固着し、外周面を粘着テープ15で押え付けてある。」（第4頁11〜15行）
「このフレキシブルダクト1は、コイル状の芯材11を形成する際に、帯状の不織布を金属線材と共に重ね巻きし、その不織布の重ね合わされた部分に金属線材を挾み込んだ状態で貼着して内面シート12aを形成したものである。」（同頁23〜25行）
　　
オ．刊行物５
　同じく、当審が通知した取消しの理由に引用した本件出願前に頒布された刊行物である実公平４−４８４２９号公報（以下、「刊行物５」という。）には、図面とともに、次の記載がある。
「4は亜鉛メッキ処理した鋼線」（第2頁第３欄4行）
「5は前記ガラス繊維クロス層2および鋼線4の外周に巻き付けたグラスウール又はロックウールからなる吸音材層」（第2頁第3欄12〜14行）
「円形断面のダクトを偏平にするには図示省略した上下左右の押型を用いて加圧成形して第5図に示す矩形断面の消音ダクトを製作する」（同欄28〜31行）
「断面円形のものと同様にいかなる方向へも容易に曲げることができるため、施工性が良好となる。」（第２頁第４欄２１〜２３行）
　
（３）本件第１発明について
　上記３．（２）ア．に示した記載及び図面からみて、刊行物１には、下記の発明が記載されていると認められる。
「下り天井の上部空間に臨ませた本体に設けた吹出接続口と、下り天井の側面開口部に臨ませた吹出口とを、吹出ダクトで接続したことを特徴とする空気調和設備。」
　
　本件第１発明と上記刊行物１記載のものとを対比すると、刊行物１記載の「下り天井」、「本体」、「吹出接続口」、「吹出口」、「吹出ダクト」は、本件第１発明の「軽天」、「天吊型空気調和機」、「天吊型空気調和機に設けた吹出口」、「吹出口枠」、「ダクト」にそれぞれ相当するから、両者は、「軽天の上部空間に臨ませた天吊型空気調和機に設けた吹出口と、軽天の側面開口部に臨ませた吹出口枠とを、ダクトで接続した天吊型空気調和設備。」で一致し、次の点で相違する。
　
相違点１：本件第１発明の吹出口及び吹出口枠の横断面形状が「矩形」であり、ダクトの形状も「これら吹出口とほぼ近似の断面形状を有し」ているのに対し、刊行物1に記載された発明が、そのような構成を有するか明確でない点。
　
相違点２：本件第１発明のダクトが、「断熱性があり押し縮めることができるフレキシブルダクト」であるのに対し、刊行物1に記載された発明はそうではない点。
相違点３：本件第１発明のダクトが、「少なくとも、ばね状の鋼線にグラスウールを被せて構成」するのに対し、刊行物1に記載された発明が、そのような構成を有するか明確でない点。
　
相違点４：本件第１発明の天吊型空気調和機の空気流入口が、軽天の上部空間の空気を取り入れる構成であるのに対し、刊行物１に記載された発明はそうではない点。
　
　以下に上記各相違点について、検討する。
・相違点１について
　空調機器分野において、空気調和機に設けた横断面矩形の吹出口と、横断面矩形の吹出口枠とを、これら吹出口とほぼ近似の断面形状を有したダクトで接続することは、例えば、実願昭６１−２４４３号（実開昭６２−１１５０３８号）のマイクロフィルム、実願平１−８６１７７号（実開平３−２５７１８号）のマイクロフィルム（特に第2図、第4図参照）、特開平６−３３７１５７号公報（特に図2参照）等に記載されるように、従来より周知の技術手段である。
　よって、刊行物１の空気調和機の吹出接続口、天井側に設けた吹出口及びこれらを接続するダクトを、横断面矩形とすることは、当業者が容易に想到し得たものである。
　
・相違点２について
　天吊型空気調和設備において、「断熱性があり押し縮めることができるフレキシブルダクト」を用いることは、上記刊行物２に記載されている。
　よって、刊行物1のダクトを、断熱性があり押し縮めることができるフレキシブルダクトに換えて用いることに格別の困難性が存したとは認められない。
　
・相違点３について
　空調機器分野において、ダクトを「ばね状の鋼線にグラスウールを被せて構成」することは、例えば、上記刊行物４又は上記刊行物５或いは実願平４−３６９８９号（実開平５−８７４４９号）のＣＤ−ＲＯＭに記載されるように、従来より周知の技術手段である。
　よって、刊行物１のダクトにおいて、ばね状の鋼線にグラスウールを被せて構成することは、当業者が容易に想到し得たものである。
　
・相違点４について
　天吊型空気調和設備において、軽天の上部空間の空気を取り入れるように構成することは、周知の技術手段（例えば、実公平４−７４７６号公報、実公昭４７−３６８３４号公報参照。）である。
　よって、刊行物１の空気調和機において、軽天の上部空間の空気を取り入れるようにすることは、当業者が容易に想到し得たものである。
　
　さらに、本件第１発明が奏する作用、効果は、上記刊行物１，２，４，５の記載及び上記周知技術から容易に予測できたものである。
  よって、本件第１発明は、上記刊行物１，２，４，５に記載された発明及び上記周知技術に基づいて当業者が容易に想到し得たものである。
　
（４）本件第２発明について
　本件第２発明は、本件第１発明のフレキシブルダクトの製法について限定したものであって、本件第２発明と、刊行物１に記載された発明を対比すると、上記相違点１乃至４で相違するとともに、下記の相違点５で相違する。
　
相違点５：本件第２発明は、空気調和設備に使用するフレキシブルダクトを、鋼線をばね状に形成しながらその外周に帯状の不織布を巻付機で巻き付けつつ、該不織布を順次接着して円筒状体を構成し、該円筒状体の外側を定規板に当て、該円筒状体をその内側から該定規板に押し付けて角付け、横断面矩形を呈する角筒体を構成し、該角筒体の外周にガラスウールを巻いて角型に制作するのに対し、刊行物１のダクトが、そのように製作されるか明確でない点。
　
　上記相違点１乃至４については、上記「３．（３）本件第１発明について」で検討したように、当業者が容易に想到し得たものである。
　以下、上記相違点５について検討する。
　上記刊行物4には、本件第２発明で言う「円筒状体」の製法に関するものとして、「このフレキシブルダクト1は、金属線材をコイル状に巻き付けた芯材11に、グラスクロス、不織布等から成る多孔性内面シート12、グラスウール層13および塩化ビニルから成る外面シート14を順次巻き付けて円筒状に形成したものであり、両端の接続部は、外面シート14を内周面に折り返して固着し、外周面を粘着テープ15で押え付けてある。」（第4頁11〜15行）や「このフレキシブルダクト1は、コイル状の芯材11を形成する際に、帯状の不織布を金属線材と共に重ね巻きし、その不織布の重ね合わされた部分に金属線材を挾み込んだ状態で貼着して内面シート12aを形成したものである。」（同頁23〜25行）と記載されている。そして、布を巻付機で巻き付けるようにすることは、当業者が必要に応じて選択する設計的事項である。
　また、上記刊行物5には、本件第２発明で言う「角筒体」の製法に関するものとして、「円形断面のダクトを偏平にするには図示省略した上下左右の押型を用いて加圧成形して第5図に示す矩形断面の消音ダクトを製作する」（第2頁3欄28〜31行）と記載されている。そして、円筒状体の押し付けに際し、円筒状体の内側から定規板に押しつけることは、製品成形の際に成形のしやすさ等を考慮して適宜行う設計的事項である。
　特許権者は、平成１３年９月２５日付けの特許異議意見書において、「円筒体形成時にガラスウールを巻付けてから角形に成形するとその変形によりガラスウールも変形して、柔軟なフレキシビリテイーが失われるのに対し、角筒に成形してからガラスウールを巻付ければガラスウールはその状態で柔軟なフレキシビリテイーを保持できるという断面矩形のフレキシブルダクトにとって有用な作用効果を奏します。」（第７頁１〜５行）と主張しているが、刊行物５には、グラスウールを巻いて断面円形に成形したダクトを押型を用いて加圧成形したものが、「断面円形のものと同様にいかなる方向へも容易に曲げることができるため、施工性が良好となる。」（第２頁第４欄２１〜２３行）と記載され、加圧成形後でも容易に曲げることができることが示されているから、ガラスウールの巻付けと角形への成形の順序の相違によって、作用効果に格別顕著な差異が認められず、単なる設計的な事項といえる。
　
　よって、本件第２発明は、上記刊行物4記載の製法に基づき円筒状体を構成し、これを上記刊行物5記載の製法に基づき角型にした上で、上記請求項1に係る発明に対し判断したと同様に、当該技術分野の周知技術を参酌しつつ、上記刊行物１，２，４，５記載の発明に基づいて当業者が容易に推考できたものと言える。
　
（５）本件第３発明について
　上記３．（２）イ．に示した記載及び図面からみて、刊行物２には、下記の発明が記載されていると認められる。
「伸縮自在のフレキシブルダクトを予め長さ方向に押縮めて元に戻らない状態で、空気調和ユニットの側面開口部に取付けて置き、この空気調和ユニットを天井板の上部空間に吊持して取付けた後、フレキシブルダクトを伸ばして天井板に設けた通風グリルに接続するようにした方法。」
　
　本件第３発明と刊行物２に記載された発明を対比すると、刊行物２に記載された発明の「空気調和ユニットの側面開口部」、「空気調和ユニット」、「天井板」、「通風グリル」は、それぞれ、本件第３発明の「天吊型空気調和設備の吹出口」、「天吊型空気調和機」、「軽天」、「軽天開口部に設けた吹出口枠」に相当するから、両者は、
「伸縮自在のフレキシブルダクトを予め長さ方向に押縮めて元に戻らない状態で、天吊型空気調和設備の吹出口に取付けて置き、この天吊型空気調和機を軽天の上部空間に吊持して取付けた後、フレキシブルダクトを伸ばして軽天開口部に設けた吹出口枠に接続するようにした方法。」で一致し、下記の点で相違する。
　
相違点６：本件第３発明のフレキシブルダクトが、「横断面矩形」であるのに対し、刊行物2に記載された発明が、そのような構成を有するか明確でない点。
　
相違点７：本件第３発明が、「押縮め紐で縛った」状態でフレキシブルダクトを押縮め保持し、「紐による縛りを解いて」これを伸ばすのに対し、刊行物２に記載された発明は、こうした「押し縮め紐」を用いず自己保持している点。
　
相違点８：本件第３発明が、フレキシブルダクトを伸ばして吹出口枠に挿し込み接続するのに対し、刊行物２に記載された発明は、ダクトの端部を引掛具で通風グリルに接続した点。
　
相違点９：本件第３発明が、フレキシブルダクトを押縮め紐で縛った状態で空気調和機に取り付けておき、この空気調和機を据え付けた後、紐による縛りを解いてフレキシブルダクトを伸ばす「施工方法」であるのに対し、刊行物２に記載された発明は、「点検方法」である点。
　
　以下に上記各相違点について、検討する。
・相違点６について
　上記３．（３）で検討したように、ダクトの形状を、「横断面矩形」とすることは周知の技術手段であり、刊行物２のフレキシブルダクトを、横断面矩形とすることは、当業者が容易に想到し得たものである。
　
・相違点７について
　社会生活、産業活動を営む上で、あるものを束ねるべく紐で縛って元に戻らない状態とし、使用時に紐による縛りを解いて伸ばすようにすることは、運搬、収納等の作業に際し、広く用いられる慣用手段である。
　そして、こうした慣用手段を天吊型空気調和設備の施行方法として採用することによる、格別顕著な作用効果は認められない。
　よって、作業性の向上のために、フレキシブルダクトを押縮め自己保持する技術手段が刊行物２に記載されている以上、相違点７に係る構成を採用することは、当業者が容易に想到し得たものである。
　
・相違点８について
　ダクトを含め管状の部材を他の部材に接続する方法として、一方を他方に挿し込むことにより接続することは、慣用技術であり、刊行物２の引掛具による接続方法に代えて挿し込みにより接続することは、当業者が容易に想到し得たものである。
　
・相違点９について
　刊行物３に、伸縮性、可撓性を有するフレキシブルダクトを用いて、空調機器の施工現場における作業性の向上を図ることが示されているように、天井内部に設置される空調機器分野で、天井部での施工作業の改善は、常に要求されている課題である。
　また、刊行物２には、施工作業ではなく点検作業であるものの、押縮めたフレキシブルダクトを、作業終了後に伸ばして天井板の通風グリルに取り付けた方法が記載されている。
　施工作業や機器の製造作業等において、同一箇所に複数の部品を取り付ける際、前もって、それらの複数の部品を組み立ててユニット化して、ひとまとめにして決められた位置に取り付けるようにすること、作業効率の向上のために広く行われていることであるから、刊行物２の押縮めたフレキシブルダクトを取り付けた空気調和ユニットを、ダクトとともに据え付け施工し、作業終了後、フレキシブルダクトを引き延ばして取り付けることは、当業者が容易に想到し得たものである。
　
  さらに、本件第３発明が奏する作用、効果は、上記刊行物２，３の記載及び周知技術から容易に予測できたものである。
  よって、本件第３発明は、上記刊行物２，３に記載された発明及び上記周知技術に基づいて当業者が容易に想到し得たものである。
　
４．むすび
　以上のとおりであるから、本件第１発明乃至本件第３発明は、特許法第２９条第２項の規定により特許を受けることができない。
　したがって、本件第１発明乃至本件第３発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年２月１５日（２００２．２．１５）
【訂正の要旨】
ア．訂正事項１
「【請求項１】
　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したことを特徴とする天吊型空気調和設備。」を、
「【請求項１】
　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したこと、および軽天の上部空間の空気を該天吊型空気調和機の空気流入口に取入れる構成としたことを特徴とする天吊型空気調和設備。」と訂正する。
イ．訂正事項２
　特許明細書の段落【０００４】の、
「しかも該吹出口枠とフレキシブルダクトとの接続作業を軽天工事の邪魔をすることなく速やかに行うことができる。」を、
「しかも該吹出口枠とフレキシブルダクトとの接続作業を軽天工事の邪魔をすることなく速やかに行うことができる。また軽天の上部空間の空気を該天吊型空気調和機の空気流入口に取入れる構成とした。」と訂正する。
（５４）【発明の名称】
天吊型空気調和設備並びにその施工方法及び天吊型空気調和設備に用いるダクトの製法。
（５７）【特許請求の範囲】
　【請求項１】　軽天の上部空間に臨ませた天吊型空気調和機に設けた横断面矩形の吹出口と、軽天の側面開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したこと
、および軽天の上部空間の空気を該天吊型空気調和機の空気流入口に取入れる構成としたこと
　【請求項２】　前記天吊型空気調和設備に使用するフレキシブルダクトを、鋼線をばね状に形成しながらその外周に帯状の不織布を巻付機で巻き付けつつ、該不織布を順次接着して円筒状体を構成し、該円筒状体の外側を定規板に当て、該円筒状体をその内側から該定規板に押し付けて角付け、横断面矩形を呈する角筒体を構成し、該角筒体の外周にガラスウールを巻いて角型に制作することを特徴とする請求項１に記載の天吊型空気調和設備に用いるフレキシブルダクトの製法。
　【請求項３】　伸縮自在で且つ横断面矩形のフレキシブルダクトを予め長さ方向に押縮め紐で縛って元に戻らない状態で、天吊型空気調和設備の吹出口に取付けて置き、この天吊型空気調和機を軽天の上部空間に吊持して取付けた後、紐による縛りを解いてフレキシブルダクトを伸ばして軽天開口部に設けた吹出口枠に挿し込み接続するようにしたことを特徴とする天吊型空気調和設備の施工方法。
【発明の詳細な説明】
　【０００１】
　【発明の属する技術分野】
　ホテル等の天井に設置した天吊型空気調和設備並びにその施工方法に関する。
　【０００２】
　【従来の技術】
　従来、天井内に収められた天吊型空気調和機と、矩形型吹出口またはライン型の吹出口とを接続するフレシキブルダクトは、亜鉛引きの鉄板で形成したフレキシブルダクトの外周に断熱材を施して形成し、または断熱性のある硬質のグラスウール板で形成しているため、その長さの調節ができない。このため工事現場ごとに異なる天吊型空気調和機と吹出口枠との間隔並びに位置に合わせてフレキシブルダクトを作る必要がある。
　【０００３】
　【発明が解決しようとする課題】
　このため、軽天工事を行って軽天開口部位置が決まり、これに張ったボードに吹出口枠を取付けるための開口を設け、該開口に吹出口枠を取付けた後、予め吊持しておいた天吊型空気調和機と吹出口枠との間隔並びに位置に合わせてフレキシブルダクトを作り該フレキシブルダクトで両者を接続する作業を行う状況を生じる。即ち、天吊型空気調和設備に伴う工事を軽天工事に割り込ませなければならず、天吊型空気調和設備に伴う軽天工事が輻輳し、一方の工事期間中、他方の工事を中断しなければならず工事期間が長引く等の不具合がある。本発明は、かかる不具合のない天吊型空気調和設備並びにその施工方法を得ることを課題とする。
　【０００４】
　【課題を解決するための手段】
　請求項１記載の天吊型空気調和設備は、軽天の上部空間に臨ませた天吊型空気調和機に設けた横断面矩形の吹出口と、軽天開口部に臨ませた横断面矩形の吹出口枠とを、これら吹出口とほぼ近似の断面形状を有し且つ断熱性があり押し縮めることができるフレキシブルダクトで接続し、このフレキシブルダクトは、少なくとも、ばね状の鋼線にグラスウールを被せて構成したことで、フレキシブルダクトの長さ方向に自在性があるため、寸法取り工程は不要となり、しかも該吹出口枠とフレキシブルダクトとの接続作業を軽天工事の邪魔をすることなく速やかに行うことができる。
また軽天の上部空間の空気を該天吊型空気調和機の空気流入口に取入れる構成とした。
　【０００５】
　請求項２記載は、請求項１記載の天吊型空気調和設備に用いるダクトの製法で、前記天吊型空気調和設備に使用するフレキシブルダクトを、鋼線をばね状に形成しながらその外周に帯状の不織布を巻付機で巻き付けつつ、該不織布を順次接着して円筒状体を構成し、該円筒状体の外側を定規板に当て、該円筒状体をその内側から該定規板に押し付けて角付け、横断面矩形を呈する角筒体を構成し、該角筒体の外周にガラスウールを巻いて角型に制作することで、簡単に長さ方向に押縮め紐で縛って元に戻らない状態とすることができる天吊型空気調和設備に適した横断面矩形のフレキシブルダクトを得ることができる。請求項３記載の天吊型空気調和設備の施工方法は、伸縮自在で且つ横断面矩形のフレキシブルダクトを予め長さ方向に押縮め紐で縛って元に戻らない状態で、天吊型空気調和設備の吹出口に取付けて置き、この天吊型空気調和機を軽天の上部空間に吊持して取付けた後、紐による縛りを解いてフレキシブルダクトを伸ばして軽天開口部に設けた吹出口枠に挿し込み接続するようにしたことで、予め長さ方向に押縮めた状態の伸縮自在のフレキシブルダクトを引き伸ばして吹出口枠に接続するだけで、該吹出口枠とフレキシブルダクトとの接続作業が完了し、該接続作業をきわめて速やかに行うことができる。
　【０００６】
　【発明の実施の形態】
　本発明実施の形態を図に付き説明する。図で１は、天井スラブＢに吊持させて天井ボードＡの上部空間に臨ませた天吊型空気調和機を示し、図示する天吊型空気調和機１は、内部にファン１ａと熱交換用コイル１ｂと空気流入口１ｃの近くにフィルタ１ｄを備えるファンコイルユニットとした。このファンコイルユニット１に設けた吹出口１ｅは横断面矩形に構成した。Ｃは天井ボードＡに設けた開口部を示し、該開口部Ｃは天井ボードＡの段差部に取付けたボードＤを矩形に切欠いて構成し、該開口部Ｃに吹出口取付枠２を挿込んで取付ける。
　【０００７】
　なお、該吹出口取付枠２は、開口部Ｃよりやや大きい矩形を呈する額縁状部分２ａと開口部Ｃより小さい矩形を呈する額縁状部分２ｂとからなり、該額縁状部分２ｂを該開口部Ｃに外側から挿込んで取付ける。なお、吹出口取付枠２の額縁状部分２ａの外側に吹出口２ｃを取付ける。
　【０００８】
　３は該吹出口取付枠２の額縁状部分２ｂと天吊型空気調和機１に設けた横長の矩形を呈する吹出口１ｅとを接続する伸縮自在のフレキシブルダクトを示し、該フレキシブルダクト３は、額縁状部分２ｂとほぼ近似の断面形状を有するものに構成する。従来のフレキシブルダクトは断面が円形であり、これに対し吹出口取付枠２等は矩形であるため、円形フレキシブルダクトをそのまま用いると、急に流れが変化するため乱流が生じる。そこで、フレキシブルダクト３の断面形状を額縁状部分２ｂとほぼ近似の形状とすることで、フレキシブルダクト３から吹出口１ｅに至る空気の流れが乱れることに伴う不具合、例えば空気の流れの乱れを可及的になくして、空気の流れの乱れに伴う騒音並びに圧力損失をなくし得る。このフレキシブルダクト３は、図５の（ａ）に示すように、鋼線をばね状（イ）に形成しながらその外周に帯状の不織布を巻付機Ｘで巻付けつつ、該不織布を順次接着して円筒状体（ロ）（ファンコイル１の給気口の幅が４４０ｍｍ、高さが１３０ｍｍである場合、直径４００ｍｍの円筒状体）を造り、これを板金製の角ダクトの成型と同じように、図５の（ｂ）に示すように、該円筒状体（ロ）の外周を定規板Ｙに当て、該円筒状体（ロ）をその内側から該定規板Ｙに押し付けて角付けして、横断面矩形を呈する角筒体（ハ）を構成し、該角筒体（ハ）の外周にガラスウール（ニ）を巻き、更にその外周に塩化ビニールフィルムチューブ（ホ）を被せ、該塩化ビニールチューブ（ホ）の両端部を角筒体（ハ）の内側に折込んで、ホッチギス止をした上から該両端部外周にダクトテープを巻いて両端に耳部３ａを備える角型に制作する。
　【０００９】
　しかし、該フレキシブルダクト３の構成材料等はこれに必ずしも限定されるものでなく、フレキシブルダクト３は断熱性があり全体として伸縮自在に構成でき、且つフレキシブルダクト３の断面形状は吹出口１ｅとほぼ近似するものであれば良く、吹出口１ｅが矩形であっても、フレキシブルダクト３の断面形状は矩形に限定されるものではなく、長円、または楕円等であって、フレキシブルダクト３内を流れる冷気または暖気の流れが急激に変わらない形状であれば良い。そしてフレキシブルダクト３を、天吊型空気調和機１を天井スラブに吊る前に、フレキシブルダクト３の一方の耳部３ａに接続管３ｂを挿着し、該接続管３ｂに天吊型空気調和機１の吹出口１ｅを嵌めた後ビス（図示しない）等で天吊型空気調和機１の吹出口１ｅに締め付け固定して置く。なお、上述の実施の形態は天吊型空気調和機１としてファンコイルユニットを用いたものを示すが、天吊型空気調和機１はこれに限るものでなく、パッケージエアコン、全熱交換器等であっても良異こと申すまでもない。また上記接続管３ｂは、天吊型空気調和機１の吹出口１ｅを長くすることでこれを省略することもできる。
　【００１０】
　次ぎに天吊型空気調和機１の施工方法を図６に示すフローチャートに従って説明する。
　【００１１】
　天吊型空気調和機１に予め上述する手段によってフレキシブルダクト３を取付け、該フレキシブルダクト３を長さ方向に押縮めて、該天吊型空気調和機１並びにフレキシブルダクト３を挿通した荷造紐ｅで、該フレキシブルダクト３が元の状態に戻らないように縛って置く（図４の状態）。そして、この荷造紐ｅで縛って長さ方向に押縮めたフレキシブルダクト３を取付けた天吊型空気調和機１を、天井スラブＢに吊持させて軽天の上部空間に取付る。その後軽天作業が終了し天井ボードＡを貼った後、荷造紐ｅを切ってフレキシブルダクト３を伸ばし、該開口部Ｃの内側に臨む取付固定枠用下地Ｅに吹出口取付枠２を取付け、壁ボード・クロス張り終了後、額縁状部分２ａの外側に吹出口２ｃを取付けて、天吊型空気調和機１の取付け作業を完了する。
　【００１２】
　【発明の効果】
　本発明の請求項１記載の天吊型空気調和設備によれば、吹出口取付枠と天吊型空気調和機との間の距離や位置関係が現場毎に異なっても、フレキシブルダクトの長さ方向に自在性があるため、予め用意したフレキシブルダクトで該天吊型空気調和機と吹出口取付枠を接続することができて施工をきわめて簡単にすることができて、天吊型空気調和機の取付け工事を大幅に短縮でき、フレキシブルダクト長さの異なるフレキシブルダクトを工事現場毎に準備する必要がなくなってコストを下げることができる。しかも、該フレキシブルダクトは、吹出口とほぼ近似の断面形状を有するため、該フレキシブルダクトから吹出口に至る過程で空気の流れが変化を可及的になくことでこれに伴う圧力損失、騒音の発生を抑えられる。
　【００１３】
　本発明の請求項２記載の天吊型空気調和設備の製法によれば、請求項１記載の天吊型空気調和設備に使用に適した、長さ方向に押縮め紐で縛って元に戻らない状態とすることができる天吊型空気調和設備に適した横断面矩形のフレキシブルダクトを簡単に得ることができる。
　【００１４】
　請求項３記載の天吊型空気調和設備の施工方法によれば、長さ方向に押縮めた状態にして紐で縛れば押縮められた状態を保つフレキシブルダクトを、長さ方向に押縮めた状態の伸縮自在のフレキシブルダクトを天吊型空気調和機を取付けた状態で、該天吊型空気調和機を軽天の上部空間に吊持して取付けた後、該フレキシブルダクトを引き伸ばして吹出口枠に接続するだけで天吊型空気調和機の取付け工事が完了し、従来のように、軽天作業に天吊型空気調和設備の取付け工事を割り込ませることなく工事を行う事ができて、天吊型空気調和設備の取付け工事の大幅な短縮が図れる。
【図面の簡単な説明】
　【図１】　本発明の実施の形態の１例を示す側面図
　【図２】　取付枠固定用下地とフレキシブルダクトの接続部を示す斜視図
　【図３】　天吊型空気調和設備を分解する斜視図
　【図４】　フレキシブルダクトを押縮めた状態で天吊型空気調和機に取付けた状態を示す側面図
　【図５】　フレキシブルダクトの形成を説明する図
　【図６】　天吊型空気調和設備の施工順序を示すフローチャート
　【符号の説明】
１　天吊型空気調和機　２　吹出口枠
３　フレキシブルダクト　Ａ　天井ボード
Ｃ　軽天開口部